(57)【要約】【課題】  使用者の技能に依存することなく、楽譜に対応する楽曲をより明確に認識させること。【解決手段】  この楽譜学習用玩具１は、複数の音符パターン２３が描かれており、各符頭２５が光透過又は光通過可能にされた遮光性のシート部材１９と、シート部材１９が着脱可能に装着されるシート装着面５を有する本体３とを備え、本体３は、シート装着面５に並べて配設された複数の配列スイッチ７と、配列スイッチ７に対応して設けられ、配列スイッチ７を光らせる複数の発光素子Ｌ０１〜Ｌ３２と、スピーカ１１と、複数の発光素子Ｌ０１〜Ｌ３２を所定の順序で発光させると共に、当該発光素子により光らされた配列スイッチ７の操作に応答して、スピーカ１１から所定の順序に対応する長さ及び音高の音を出力させる制御部２７とを有し、シート部材１９をシート装着面５に装着したときに、各符頭２５が複数の配列スイッチ７の位置にくるように構成されている。【選択図】  図１
2005352087.tif 000002
【特許請求の範囲】
【請求項１】
楽曲を構成する複数の音符が描かれており、前記複数の音符の各符頭が光透過又は光通過可能にされた遮光性のシート部材と、
前記シート部材が着脱可能に装着されるシート装着面を有する本体と、
を備え、
前記本体は、
前記シート装着面に並べて配設された複数のスイッチ手段と、
前記複数のスイッチ手段に対応して設けられ、発光することによって対応する前記スイッチ手段を光らせる複数の発光素子と、
スピーカと、
前記複数の発光素子を所定の順序で発光させると共に、当該発光素子により光らされた前記スイッチ手段の操作に応答して、前記スピーカから前記所定の順序に対応する長さ及び音高の音を出力させる制御部と、
を有し、
前記シート部材を前記シート装着面に装着したときに、前記複数の音符の各符頭が前記複数のスイッチ手段の位置にくるように構成されている、
ことを特徴とする楽譜学習用玩具。
【請求項２】
前記複数のスイッチ手段は、それぞれ、前記シート装着面に沿って前記複数のスイッチ手段が配設されている方向と交わる方向に配設された複数のスイッチ部材を含み、
前記シート部材を前記シート装着面に装着したときに、前記符頭の位置が、前記スイッチ手段に含まれる前記スイッチ部材の配列位置のいずれかと一致するように構成されている、
ことを特徴とする請求項１記載の楽譜学習用玩具。
【請求項３】
前記複数のスイッチ手段は、前記複数の発光素子と前記シート部材との間において前記シート装着面に沿って位置し、少なくとも前記複数の発光素子が発する光を透過可能な透光性材料によって形成されている、
ことを特徴とする請求項１又は２に記載の楽譜学習用玩具。
【請求項４】
前記制御部は、前記スイッチ手段の操作に応答して、前記長さに対応する時間だけ前記発光素子の発光を維持するようにさらに制御する、
ことを特徴とする請求項１〜３のいずれか１項に記載の楽譜学習用玩具。
【発明の詳細な説明】
【技術分野】
【０００１】
本発明は、楽譜学習用玩具に関するものである。
【背景技術】
【０００２】
各種楽器を演奏する際に使用される楽譜は、五線譜上に記された音符の上下方向の位置で音階を示し、音符の種類で音価を示すものであり、楽器演奏者は、この楽譜に示された音階に対応する音高及び音価に対応する音の長さを表示順に再現することによって楽曲を演奏する。ところで、楽譜を読むことに不慣れな楽器演奏者をガイドするためのものとしては、下記特許文献１に記載の演奏ガイド付き電子楽器がある。この電子楽器は、ディスプレイに楽譜を表示させると同時に、楽譜内に表示された音符に該当する鍵盤の先端部を予め設定したテンポで順次発光させることにより楽器演奏のガイドを行うものである。
【特許文献１】特開２０００−３３８９７２号公報
【発明の開示】
【発明が解決しようとする課題】
【０００３】
しかしながら、上述したような従来の電子楽器においては、楽譜上に示される音符を読み取りながら、その音符に対応付けて演奏することが困難であった。すなわち、演奏者は、電子楽器の打鍵時には、鍵盤のガイド光に注意を惹き付けられるので、楽譜を明確に読み取ることができない。また、予め設定されたテンポで発光（ガイド）が行われるため、演奏に不慣れな者にとっては楽曲の再現が困難である。特に、このような傾向は、演奏者が幼児等の年少者の場合に、特に顕著となる。また、演奏される音の音高及び長さは楽器演奏者の技能に依存するため、演奏者の巧拙によって楽譜からの楽曲の再現性が変化する。
【０００４】
そこで、本発明はかかる課題に鑑みて為されたものであり、使用者の技能に依存することなく、楽譜に対応する楽曲をより明確に認識させることが可能な楽譜学習用玩具を提供することを目的とする。
【課題を解決するための手段】
【０００５】
本発明者らは、上記目的を解決するため鋭意検討を重ねた結果、楽譜を構成する音符自体をガイドすると同時に、そのガイドに対する使用者の操作を検出した後に、音符に対応する音を出力することが、使用者の操作速度の大小に柔軟に対応した楽曲の再現を可能とする点で、上記目的を達成する上で極めて有効であることを見出し、本発明に到達した。
【０００６】
すなわち、本発明の楽譜学習用玩具は、（Ａ）楽曲を構成する複数の音符が描かれており、複数の音符の各符頭が光透過又は光通過可能にされた遮光性のシート部材と、（Ｂ）シート部材が着脱可能に装着されるシート装着面を有する本体とを備え、（Ｂ）本体は、（ａ）シート装着面に並べて配設された複数のスイッチ手段と、（ｂ）複数のスイッチ手段に対応して設けられ、発光することによって対応するスイッチ手段を光らせる複数の発光素子と、（ｃ）スピーカと、（ｄ）複数の発光素子を所定の順序で発光させると共に、当該発光素子により光らされたスイッチ手段の操作に応答して、スピーカから所定の順序に対応する長さ及び音高の音を出力させる制御部とを有し、シート部材をシート装着面に装着したときに、複数の音符の各符頭が複数のスイッチ手段の位置にくるように構成されている、ことを特徴とする。
【０００７】
このような楽譜学習用玩具によれば、本体のシート装着面に沿って並べられた複数のスイッチ手段が、対応する発光素子の発光により予め定められた順序で光ることで、シート部材上に描かれた複数の音符の符頭の部分から、所定の順序で光が透過又は通過される。さらに、その符頭の位置にあるスイッチ手段が操作されると、その発光順序に応じた長さ及び音高の音をスピーカから出力させる。これにより、楽譜上の音符位置を予め定められた順番でガイドしながら、その音符位置にあるスイッチの操作に応じてその音符に対応した長さ及び音高の音を発することで、音符位置と対応する音とを明確に対応づけて認識させることができる。
【０００８】
また、複数のスイッチ手段は、それぞれ、シート装着面に沿って複数のスイッチ手段が配設されている方向と交わる方向に配設された複数のスイッチ部材を含み、シート部材をシート装着面に装着したときに、符頭の位置が、スイッチ手段に含まれるスイッチ部材の配列位置のいずれかと一致するように構成されている、ことが好ましい。
【０００９】
こうすれば、シート部材上の音符の符頭を楽曲に対応させて配列させる際に、符頭の各音高に対応する位置にスイッチ部材がくるように配置させることで、各符頭に対応する操作位置が明確となり、ガイド光に対するユーザ操作がよりスムーズとなる。
【００１０】
さらに、複数のスイッチ手段は、複数の発光素子とシート部材との間においてシート装着面に沿って位置し、少なくとも複数の発光素子が発する光を透過可能な透光性材料によって形成されていることも好ましい。このような構成とすれば、簡易な構成でスイッチ手段を光らせることができるとともに、本体へのシート部材の装着が容易とされる。
【００１１】
またさらに、制御部は、スイッチ手段の操作に応答して、音の長さに対応する時間だけ発光素子の発光を維持するようにさらに制御することも好ましい。かかる制御部を備えると、ガイド対象の音符に対応する音の長さだけガイド光を持続させるので、音符に対応する音価を視覚的に把握させることができる。
【発明の効果】
【００１２】
本発明の楽譜学習用玩具によれば、使用者の技能に依存することなく、楽譜に対応する楽曲をより明確に認識させることができる。
【発明を実施するための最良の形態】
【００１３】
以下、図面を参照しつつ本発明に係る楽譜学習用玩具の好適な実施形態について詳細に説明する。なお、図面の説明においては同一又は相当部分には同一符号を付し、重複する説明を省略する。また、図面の寸法比率は、説明のものと必ずしも一致していない。
【００１４】
図１は、本発明による楽譜学習用玩具の好適な一実施形態を示す概略平面図である。楽譜学習用玩具１は、使用者に楽譜上の音符の位置を光によってガイドするとともに、その音符に対応する音を外部出力するための玩具である。同図に示すように、楽譜学習用玩具１は、ＡＢＳ等のプラスチックによって略直方体状に成型された本体３と、その本体３に形成された平坦なシート装着面５に沿って、本体３の内部に設けられた３２個の発光素子Ｌ０１〜Ｌ３２と、シート装着面５上に設けられた配列スイッチ（スイッチ手段）７及びシート検出スイッチ９，１０と、本体３の内部に設けられたスピーカ１１とを含んで構成されている。
【００１５】
配列スイッチ７は、シート装着面５の一部を構成しており、シート装着面５に沿って長辺方向に等間隔に配設された３２個のスイッチ群である。すなわち、配列スイッチ７は、シート装着面５の短辺方向に２分割された領域において、それぞれ１６個配列されている。それぞれの配列スイッチ７は、シート装着面５の短辺方向（配列スイッチ７の配列方向と交わる方向）に並ぶ１４個の電気接点であるメンブレンスイッチ（スイッチ部材）８から構成されている。それぞれのメンブレンスイッチ８は、透光性を有するポリエチレンテレフタレート（ＰＥＴ）、ポリエステル、ポリカーボネイド等の樹脂材料からなる透光性シートが、シート装着面５に沿って複数重ね合わせて布設されたものである。また、メンブレンスイッチ８は、これらの透光性シートの間に１対の電気接点を有し、スイッチ表面の押圧により電気接点が互いに接触するような構造を有する。
【００１６】
発光素子Ｌ０１〜Ｌ３２は、それぞれの配列スイッチ７に対応してシート装着面５の内側に設けられたものであり、電流の供給により外部に可視光を放出する素子である。このような発光素子としては、電気から光への変換効率が高いという点から発光ダイオード（ＬＥＤ）等の半導体発光素子が好ましく用いられる。発光素子Ｌ０１〜Ｌ１６は、シート装着面５の中央部側のそれぞれの配列スイッチ７の端部において、長辺方向に等間隔で配設されており、シート装着面５の短辺方向縁部に向けて光を放出するように固定されている。また、発光素子Ｌ１７〜Ｌ３２は、発光素子Ｌ０１〜Ｌ１６の背面に対して短辺方向に隣接して配設されており、シート装着面５の短辺方向端部に向けて、つまり、発光素子Ｌ０１〜Ｌ１６と逆方向に光を放出するように固定されている。
【００１７】
さらに、これらの発光素子Ｌ０１〜Ｌ３２は、それぞれ、シート装着面５の短辺方向に沿って帯状に形成された溝部１３の底面上に配置され、発光素子Ｌ０１〜Ｌ３２から放出した光が、溝部１３の底面においてシート装着面５のメンブレンスイッチ８に向けて反射されるような構造とされている。この場合、溝部１３は、シート装着面５におけるそれぞれの配列スイッチ７の位置とほぼ一致するように設けられ、ポリメタクリル酸メチル（ＰＭＭＡ）等の樹脂材料によって形成されている。この溝部１３は、光反射性の内壁を有している。これにより、それぞれの発光素子Ｌ０１〜Ｌ３２から放出されて溝部１３の底面において反射された光は、対応する配列スイッチ７を構成する１４個のメンブレンスイッチ８を光らせるようになっている。
【００１８】
シート検出スイッチ９、１０は、シート装着面５の縁部に沿って設けられたタクトスイッチである。シート検出用スイッチ１０は、シート装着面５の縁部と本体３との間にに形成された間隙部１２に、後述するシート部材１９が挿入されたことを検出するためのタクトスイッチである。また、シート検出スイッチ９は、５つのタクトスイッチ９ａ〜９ｅによって構成され、シート部材１９が間隙部１２に挿入された際に、シート部材１９の端部に形成された複数のパンチ孔の組合せを検出するためのタクトスイッチである。
【００１９】
また、楽譜学習用玩具１の本体３には、電源スイッチ１５と、スピーカ１１から出力される音の種類を選択するための一組のモード選択用スイッチ１７ａ，１７ｂ，１７ｃ，１７ｄとが併せて設けられている。
【００２０】
また、本体３のシート装着面５上にはシート部材１９が、その端部を間隙部１２に挿入させることによって着脱可能に装着される。図２において、（ａ）は、シート部材１９の概略構成を示す平面図、（ｂ）は、図２（ａ）のシート部材１９に描かれた楽譜に対応する原曲の楽譜を示す図である。シート部材１９は、透光性を有するポリプロピレン、塩化ビニル等の樹脂材料からなるシート状の部材の表面に遮光性の顔料が塗布されてなるものである。図２（ａ）に示すように、シート部材１９の表面には、シート部材１９の長辺方向に沿った五線譜を示す五線譜パターン２１と、その五線譜上に配置された音符を示す音符パターン２３が描かれている。なお、ラインＲ０１〜Ｒ３２は、シート装着面５の長辺方向の各配列スイッチ７の位置を示す。
【００２１】
また、シート部材１９の音符パターン２３の符頭に相当する部分には、遮光性の顔料が塗布されていない光通過部２５が設けられる。この光通過部２５によって、発光素子Ｌ０１〜Ｌ３２から放出されて配列スイッチ７を透過した光が、更に外部に透過される。すなわち、五線譜パターン２１上の各音高に対応する符頭の位置が、シート部材１９が本体３に装着された状態において、各配列スイッチ７に含まれるメンブレンスイッチ８の配列位置と一致するようにされる。なお、この光通過部２５は、シート部材１９を貫通する穴であっても構わない。さらに、シート部材１９の間隙部１２への挿入側の端部には、シート部材１９に描かれた楽曲を識別するための複数のパンチ孔２７が形成されている。
【００２２】
図３は、図２（ａ）に示すシート部材１９が図１のシート装着面５に装着された場合のＩＩＩ−ＩＩＩ線に沿った断面図である。同図に示すように、シート部材１９に形成された光通過部２５は、メンブレンスイッチ８の真上に位置している。この場合、発光素子Ｌ０１から発せられた光は、溝部１３の底面で反射され、メンブレンスイッチ８を透過して、シート部材１９に向けて出射される。出射された光は、光透過部２５を透過して、さらに外部に放出される。一方、同一の溝部１３上において反射され、上記以外のメンブレンスイッチ８を透過した光は、シート部材１９によって遮蔽される。
【００２３】
ここで、図２（ａ）に示すシート部材１９上にプリントされた音符パターン２３は、図２（ｂ）に示す原曲「七つの子」の楽譜に対応させたものである。図２（ａ）と図２（ｂ）とを対比してわかるように、シート部材１９においては、ラインＲ０１〜Ｒ３２の隣接間隔を８分音符の配列間隔として、原曲における４分音符及び８分音符（黒音符）の位置と対応させて音符パターン２３と光通過部２５とが配置されている。なお、原曲の楽譜には、２分音符（白音符）が含まれているが、光通過部２５によって４分音符及び８分音符と２分音符とを識別させることは困難であることから、例えばラインＲ０５上とＲ０７上とに分割された２つの４分音符の音符パターン２３として配置されている。このように音符パターン２３を配置させることで、黒音符だけで原曲を再現することが可能となると共に、シート部材１９を黒音符と２分音符以上の白音符で構成される全ての原曲に対応させることができる。
【００２４】
また、楽譜学習用玩具の本体２内には、発光素子Ｌ０１〜Ｌ３２の発光及びスピーカ１１の音声出力を制御するための制御部２７が内蔵されている。図４は、制御部２７の概略構成を示す図である。以下、図４を参照しながら、制御部２７の構成要素について詳細に説明する。
【００２５】
制御部２７は、ＣＰＵ（Central Processing Unit）、ＲＡＭ（Random Access Memory）等を有する中央処理部２９と、ＥＥＰＲＯＭ（Electrically Erasable Programmable ROM）、フラッシュＲＯＭ等のデータ書き換え可能なＲＯＭ（Read Only Memory）、又はマスクＲＯＭ等の読み取り専用のメモリによって構成される音源データ格納部３１及び曲データ格納部３３と、中央処理部２９に接続され、中央処理部２９からの指令により発光素子Ｌ０１〜Ｌ３２の発光を制御するＬＥＤ点灯制御回路３５と、中央処理部２９に接続され、中央処理部２９から送出される音源データに応じてスピーカ１１に対して音声信号を出力する音源回路３７と、音源回路３７から出力された音声信号を増幅してスピーカ１１に出力するアンプ３９とを含んで構成されている。また、中央処理部２９には、メンブレンスイッチ８、シート検出スイッチ９、１０、及びモード選択用スイッチ１７ａ，１７ｂ，１７ｃ，１７ｄが、ＬＥＤ点灯制御回路３５には、発光素子Ｌ０１〜Ｌ３２が、アンプ３９には、スピーカ１１が、それぞれ接続されている。
【００２６】
ＬＥＤ点灯制御回路３５は、中央処理部２９からの各発光素子Ｌ０１〜Ｌ３２の発光のオン−オフを制御するための制御信号を受信して、その制御信号に応じて発光素子Ｌ０１〜Ｌ３２に供給する電流をオン−オフする。
【００２７】
また、音源回路３７は、中央処理部２９から音源ファイルを受け取って、その音源ファイルに復号処理等の変換処理を施した後、Ｄ／Ａ変換（アナログ／デジタル変換）によりアンプ３９に音声信号を出力する。この音源回路３７で処理可能な音源ファイルのデータ形式としては、ＰＣＭ（Pulse Code Modulation）形式等の無圧縮データ形式のものや、ＡＤＰＣＭ（Adaptive Differential Pulse Code Modulation）形式、ＭＰＥＧ（Moving Picture Experts Group）形式等の様々なデータ形式を適用可能である。
【００２８】
中央処理部２９には、電源オン状態において制御用プログラムが常駐しており、中央処理部２９は、その制御用プログラムによって、所定の順序で発光素子Ｌ０１〜Ｌ３２を発光させるとともに、発光対象の発光素子によって光らされた配列スイッチ７の押下操作に応答して、スピーカ１１に対して発光順序に対応する長さ及び音高の音を出力させる。すなわち、中央処理部２９は、発光対象の発光素子が固定されている溝部１３上に位置する１４個のメンブレンスイッチ８のいずれかが押下されたことを検出して、発光順序に対応する音を出力するように制御する。
【００２９】
この場合、中央処理部２９は、予め曲データ格納部３３に格納されている曲データ、及び音源データ格納部３１に格納された音源ファイルを参照しながら、発光素子Ｌ０１〜Ｌ３２の発光制御及びスピーカ１１への音声出力制御を行う。図５は、曲データ格納部３３に格納されている曲データの構成を示す図である。同図に示すように、曲データ格納部には、“曲Ｎｏ．”のインデックス情報を含む複数の曲データが格納されており、それぞれの曲データには、発光順序を特定する“Ｓｅｑ．Ｎｏ．”と、発光対象の発光素子を特定する“発光ＬＥＤ”と、その発光素子の発光時間を特定する“発光時間”と、音源回路３７に送出する音源ファイル名を特定する“モード１ＷＡＶＥファイル”、“モード２ＷＡＶＥファイル”、及び“モード３ＷＡＶＥファイル”とが関連づけて格納されている。
【００３０】
図５に示す曲データは、図２（ａ）のシート部材１９に対応する曲データであり、例えば、ラインＲ０１上の音符パターン２３に対応するレコードとして、「Ｓｅｑ．Ｎｏ．：１」、「発光ＬＥＤ：Ｌ０１」、「発光時間：２Ｔ１」、「モード１ＷＡＶＥファイル：V023_01.WAV」、「モード２ＷＡＶＥファイル：D023_01.WAV」、及び「モード３ＷＡＶＥファイル：VA23_01.WAV」が記憶されている。この場合、“発光時間”には４分音符に対応する時間「２Ｔ１」が設定され、音源データ格納部３１に格納された各ＷＡＶＥファイル「V023_01.WAV」、「D023_01.WAV」、「VA23_01.WAV」には、“ラ”の音高であって、４分音符に対応する音の長さを有する音源ファイルが設定されている。このように曲データには、シート部材１９上の各音符パターン２３の長辺方向の位置、音の長さ、及び音高に対応する“発光ＬＥＤ”、“発光時間”、及び“ＷＡＶＥファイル”を有するレコードが、楽曲の進行順に記憶されている。
【００３１】
そこで、中央処理部２９は、該当する“曲Ｎｏ．”の曲データを読み出して、“Ｓｅｑ．Ｎｏ．”の順序で“発光ＬＥＤ”で特定される発光素子Ｌ０１〜Ｌ３２を発光させ、発光対象の発光素子に対応する１４個のメンブレンスイッチ８の押下操作の検出に応じて、“発光時間”で特定される時間だけ発光を持続させた後、次の“Ｓｅｑ．Ｎｏ．”のレコードに格納されている“発光ＬＥＤ”の発光素子を発光させる。
【００３２】
続いて、本実施形態にかかる楽譜学習用玩具１の動作について説明する。図６は、楽譜学習用玩具１の動作を示すフローチャートである。
【００３３】
まず、電源スイッチ１５がオンされると、制御部２７は、シート部材１９の装着を待ち受ける。（ステップＳ１０１）。これに対して、中央処理部２９は、シート検出スイッチ１０がオンされたことを検出することでシート部材１９の装着を検出した後、シート検出スイッチ９ａ〜９ｅのオン−オフを検出することでシート部材１９のパンチ孔２７の位置の組合せを読み取る（ステップＳ１０２）。そうすると、中央処理部２９は、曲データ格納部３３からパンチ孔２７の組合せに対応する“曲Ｎｏ．”の曲データを読み出してＲＡＭに格納した後、“ｓｅｑ．Ｎｏ．”が「１」である最初の発光素子を点滅させるための制御信号をＬＥＤ点灯制御回路３５に送出する（ステップＳ１０３）。
【００３４】
次に、中央処理部２９は、変数Ｎを１にセットすると同時に、「好きなモードを選んでね」というような固定音を、スピーカ１１に出力させる（ステップＳ１０４）。これに対して、中央処理部２９は、使用者によるいずれかのモード選択用スイッチ１７ａ，１７ｂ，１７ｃの押下を検出する（ステップＳ１０５）。このスイッチの検出の後、中央処理部２９は最初の発光素子を点灯させるようにＬＥＤ点灯制御回路３５に制御信号を送出する（ステップＳ１０６）。さらに、中央処理部２９は、演奏スタートを知らせるための固定音をスピーカ１１から出力させる（ステップＳ１０７）。
【００３５】
そして、中央処理部２９は、メンブレンスイッチ８の電気接点が閉じられているかを検出することによって、発光制御対象の発光素子Ｌ０１〜Ｌ３２に対応する位置の配列スイッチ７が押下されたか否かを判定する（ステップＳ１０８）。判定の結果、発光制御対象の発光素子に対応するメンブレンスイッチ８が押下されていないと判定した場合（ステップＳ１０８；ＮＯ）、再度メンブレンスイッチ８の押下を待ち受ける。一方、判定の結果、発光素子に対応するメンブレンスイッチ８が押下されたと判定した場合（ステップＳ１０８；ＹＥＳ）、中央処理部２９は、発光順序に相当する“Ｓｅｑ．Ｎｏ．”及びステップＳ１０５において押下されたモード選択用スイッチ１７ａ，１７ｂ，１７ｃに対応するＷＡＶＥファイル名を曲データから特定して、そのＷＡＶＥファイルを音源データ格納部３１から読み出した後、音源回路３７に出力する（ステップＳ１０９）。また、中央処理部２９は、この音源データを出力してから“発光時間”を経過するまでの間だけ発光素子の点灯を持続させる（ステップＳ１１０）。
【００３６】
次に、中央処理部２９は、変数Ｎをカウントアップする（ステップＳ１１１）。そして、変数Ｎが曲データの最終の“Ｓｅｑ．Ｎｏ．”を超えたか否かを判定する（ステップＳ１１２）。その結果、変数Ｎが曲データの最終“Ｓｅｑ．Ｎｏ．”を超えていない場合（ステップＳ１１２；ＮＯ）、中央処理部２９は、曲データの“Ｓｅｑ．Ｎｏ．”が「Ｎ」であるレコード中の“発光ＬＥＤ”で特定される発光素子を点灯させた後、処理をステップＳ１０８に移行させる（ステップＳ１１３）。
【００３７】
一方、変数Ｎが曲データの最終“Ｓｅｑ．Ｎｏ．”を超えている場合（ステップＳ１１２；ＹＥＳ）、演奏終了を知らせるための固定音をスピーカ１１から出力させて、処理を終了する（ステップＳ１１４）。
【００３８】
以上説明した楽譜学習用玩具１においては、本体３のシート装着面５に沿って並べられた複数の配列スイッチ７が、対応する発光素子Ｌ０１〜Ｌ３２の発光により予め定められた順序で光ることで、シート部材１９上に原曲の音符位置に対応して描かれた複数の音符の符頭部分から、所定の順序で光が透過又は通過される。さらに、その符頭の位置にあるメンブレンスイッチ８が操作されると、その発光順序に応じた長さ及び音高の音をスピーカから出力させる。これにより、楽譜上の音符位置を予め定められた順番でガイドしながら、その音符位置にあるスイッチの操作に応じてその音符に対応した長さ及び音高の音を発することで、音符位置と対応する音とを明確に対応づけて認識させることができる。
【００３９】
また、シート部材１９上の音符パターン２３の符頭を楽曲に対応させて配列させる際に、符頭に形成された光通過部２５の位置とメンブレンスイッチ８との位置が一致するようにすることで、各符頭に対応する操作位置が明確となり、ガイド光に対するユーザ操作がよりスムーズとなる。
【００４０】
さらに、配列スイッチ手段７は、発光素子Ｌ０１〜Ｌ３２とシート部材１９との間においてシート装着面５に沿って位置し、発光素子Ｌ０１〜Ｌ３２が発する光を透過可能な透光性材料によって形成されているので、簡易な構成で配列スイッチ７を光らせることができるとともに、本体３へのシート部材１９の装着が容易とされる。
【００４１】
また、制御部２７は、メンブレンスイッチ８の押下を検出した後に、ガイド対象の音符に対応する音の長さだけガイド光を持続させるので、音符の音価を視覚的に把握させることができる。
【００４２】
なお、本発明は、前述した実施形態に限定されるものではない。例えば、シート部材１９の構成としては、特定のものに限られるものではなく、様々な原曲に対応させた構成を採ることができる。図７において、（ａ）は、シート部材１９の他の変形例を示す概略構成図、（ｂ）は、図７（ａ）のシート部材１９に描かれた楽譜に対応する原曲の楽譜を示す図である。このシート部材１９上にプリントされた音符パターン２３は、図７（ｂ）に示す原曲「森のくまさん」の楽譜に対応させたものである。この場合、原曲の楽譜は４分の４拍子となっているが、シート部材１９上の五線譜パターン２１は、ラインＲ０１〜Ｒ１６によって一小節が表現できるように４分の２拍子でプリントされている。また、原曲の楽譜においては、ラインＲ１０に対応する音符が２つの１６分音符を含んでいるが、シート部材１９上ではこれを１つの８分音符の音符パターン２３で対応させている。このように、連続する２つの１６分音符に対応する音を、１つの８分音符に対応する音で出力させても原曲とほぼ同等の音を再現させることができる。
【００４３】
また、楽譜学習用玩具１は、発光対象の発光素子が固定されている溝部１３上に設けられている１４個のメンブレンスイッチ８のうちのいずれかが押下された場合に、スピーカ１１から音声出力するように制御しているが、これは、光通過部２５に対向するメンブレンスイッチ８が押下された場合にみ音声出力するように制御してもよい。
【００４４】
また、楽譜学習用玩具１の制御部２７は、メンブレンスイッチ８がオンされた際に、発光順序に相当する音源ファイルをそのまま出力するように動作しているが、これは、発光順序に応じて、音源ファイルによって出力される音を、該当音高に対応する周波数に変換した後に出力するようにしてもよいし、該当する音の長さに対応する出力時間に変換した後に出力するようにしてもよい。
【図面の簡単な説明】
【００４５】
【図１】本発明による楽譜学習用玩具の好適な一実施形態を示す概略平面図である。
【図２】（ａ）は、図１の楽譜学習用玩具に装着されるシート部材の概略構成を示す平面図、（ｂ）は、（ａ）のシート部材に描かれた楽譜に対応する原曲の楽譜を示す図である。
【図３】図２（ａ）に示すシート部材が、図１のシート装着面に装着された場合のＩＩＩ−ＩＩＩ線に沿った断面図である。
【図４】図１の楽譜学習用玩具に内蔵された制御部の概略構成を示す図である。
【図５】図３の曲データ格納部に格納されている曲データの構成を示す図である。
【図６】図１の楽譜学習用玩具の動作を示すフローチャートである。
【図７】（ａ）は、図１のシート部材の他の変形例を示す概略構成図、（ｂ）は、（ａ）のシート部材に描かれた楽譜に対応する原曲の楽譜を示す図である。
【符号の説明】
【００４６】
１…楽譜学習用玩具、３…本体、５…シート装着面、７…配列スイッチ（スイッチ手段）、８…メンブレンスイッチ（スイッチ部材）、１１…スピーカ、１９…シート部材、２３…音符パターン（音符）、２５…光通過部（符頭）、２７…制御部、Ｌ０１〜Ｌ３２…発光素子。
【図１】
2005352087.tif 000003
【図２】
2005352087.tif 000004
【図３】
2005352087.tif 000005
【図４】
2005352087.tif 000006
【図５】
2005352087.tif 000007
【図６】
2005352087.tif 000008
【図７】
2005352087.tif 000009